(57)【要約】【課題】チャックハウジングへの組立が容易であり、部品数を減らすことができるディスクチャッキング装置及びこれを含んだモーター装置を提供する。【解決手段】本発明によるディスクチャッキング装置は、回転可能なローターケースの一面に取付けられ、内部に形成される収容空間と連結されるように外側が開放された収容部を備えるチャックハウジング；及び前記ローターケースに装着されるディスクが挿入される時、弾性変形されて前記ディスクの内周面を固定するように形成される弾性プレートからなるチャックチップ；を含むことができる。【選択図】図１
2011238332.tif 000002
【特許請求の範囲】
【請求項１】
回転可能なローターケースの一面に取付けられ、内部に形成される収容空間と連結されるように外側が開放された収容部を備えるチャックハウジング；及び
前記ローターケースに装着されるディスクが挿入される時、弾性変形されて前記ディスクの内周面を固定するように形成される弾性プレートからなるチャックチップ；
を含むディスクチャッキング装置。
【請求項２】
前記チャックチップは、
前記収容部の外側に突出形成されることを特徴とする請求項１に記載のディスクチャッキング装置。
【請求項３】
前記弾性プレートは、
一端が前記収容部の内面と上面にともに接触されるように折曲形成されることを特徴とする請求項１または２に記載のディスクチャッキング装置。
【請求項４】
前記チャックハウジングには前記弾性プレートの一端が挿入されるように収容溝が形成されることを特徴とする請求項１から３の何れか１項に記載のディスクチャッキング装置。
【請求項５】
前記チャックハウジングには前記弾性プレートの両端が挿入されるように収容溝が形成されることを特徴とする請求項１から３の何れか１項に記載のディスクチャッキング装置。
【請求項６】
前記弾性プレートは、前記収容部の外側に突出形成され、
前記突出形成された部分が前記ディスクが挿入されるように斜めに折り曲げられる挿入部及び、挿入された前記ディスクが装着されるように前記挿入部から反対側に斜めに折り曲げられる装着部を含むことを特徴とする請求項１から５の何れか１項に記載のディスクチャッキング装置。
【請求項７】
前記装着部は、断面が曲線形状に折曲形成されることを特徴とする請求項６に記載のディスクチャッキング装置。
【請求項８】
前記弾性プレートの内側に接着される緩衝材をさらに含むことを特徴とする請求項１から７の何れか１項に記載のディスクチャッキング装置。
【請求項９】
軸孔が形成されるスリーブ；
前記軸孔に挿入されるように形成されるシャフト；
前記シャフトに回転可能に取付けられるローターケース；
前記ローターケースの一面に取付けられ、内部に形成される収容空間と連結されるように外側が開放された収容部を備えるチャックハウジング；及び
前記ローターケースに装着されるディスクが挿入される時、弾性変形されて前記ディスクの内周面を固定するように形成される弾性プレートからなるチャックチップ；
を含むモーター装置。
【請求項１０】
前記弾性プレートは、
一端が前記収容部の内面と上面にともに接触されるように折曲形成されることを特徴とする請求項９に記載のモーター装置。
【請求項１１】
前記チャックハウジングには前記弾性プレートの一端が挿入されるように収容溝が形成されることを特徴とする請求項９または１０に記載のモーター装置。
【請求項１２】
前記チャックハウジングには前記弾性プレートの両端が挿入されるように収容溝が形成されることを特徴とする請求項９または１０に記載のモーター装置。
【請求項１３】
前記弾性プレートは、前記収容部の外側に突出形成され、
前記突出形成された部分が前記ディスクが挿入されるように斜めに折り曲げられる挿入部及び、挿入された前記ディスクが装着されるように前記挿入部から反対側に斜めに折り曲げられる装着部を含むことを特徴とする請求項９から１２の何れか１項に記載のモーター装置。
【請求項１４】
前記装着部は、断面が曲線形状に折曲形成されることを特徴とする請求項１３に記載のモーター装置。
【請求項１５】
前記弾性プレートの内側に接着される緩衝材をさらに含むことを特徴とする請求項９から１４の何れか１項に記載のモーター装置。
【発明の詳細な説明】
【技術分野】
【０００１】
本発明はディスクチャッキング装置及びこれを含むモーター装置に関し、より詳細には、ディスクを装着位置に安定的に装着させるためのディスクチャッキング装置及びこれを含むモーター装置に関する。
【背景技術】
【０００２】
一般的に、光ディスクドライブ（Ｏｐｔｉｃａｌ  Ｄｉｓｃ  Ｄｒｉｖｅ）内に設けられるスピンドルモーター（ｓｐｉｎｄｌｅ  ｍｏｔｏｒ）は、光ピックアップ機構がディスクに記録されたデータを読むことができるようにディスクを回転させる機能をする。
【０００３】
このような光ディスクドライバーは軽薄短小化が求められていて、特に、ノートパソコンに用いられる超薄型のスリム型のモーターの場合、モーターを駆動するための磁気回路もの縮小はもちろん、光ディスクを回転するための十分なトルクを発生させるなど、ディスクの安定的な回転のための多様な設計がなされている。
【０００４】
このようなモーター装置はディスクを安定的に装着させるためのディスクチャッキング装置を別途に備えることができる。
【０００５】
従来のディスクチャッキング装置は、ディスクを固定させるチャック部材が組み立てられるように開口部が形成されるチャックハウジングと前記チャックハウジングの内部に取付けられるスプリング、スプリングによって前記チャックハウジングの内部で弾性的に移動するチャック部材などを含む。
【０００６】
しかし、このようなディスクチャッキング装置を組み立てる工程は、スプリングやチャック部材などの部品のサイズが小さいため、精密に組み立てることが難しいという短所があり、精密に組み立てられない場合にはスプリングとチャック部材が正確に配置されないため、チャック部材がチャックハウジングの内側に入り込んで、元の位置に戻らない問題がしばしば発生する。従って、このような問題点を解決する技術が求められている。
【発明の概要】
【発明が解決しようとする課題】
【０００７】
本発明は上述の従来技術の問題を解決するためのものであり、チャックハウジングへの組立が容易であり、部品数を減らすことができるディスクチャッキング装置及びこれを含んだモーター装置を提供することをその目的とする。
【課題を解決するための手段】
【０００８】
本発明によるディスクチャッキング装置は、回転可能なローターケースの一面に取付けられ、内部に形成される収容空間と連結されるように外側が開放された収容部を備えるチャックハウジング；及び前記ローターケースに装着されるディスクが挿入される時、弾性変形されて前記ディスクの内周面を固定するように形成される弾性プレートからなるチャックチップ；を含むことができる。
【０００９】
また、本発明によるディスクチャッキング装置の前記チャックチップは前記収容部の外側に突出形成されることを特徴とする。
【００１０】
また、本発明によるディスクチャッキング装置の前記弾性プレートは一端が前記収容部の内面と上面にともに接触されるように折曲形成されることを特徴とする。
【００１１】
また、本発明によるディスクチャッキング装置の前記チャックハウジングには前記弾性プレートの一端が挿入されるように収容溝が形成されることを特徴とする。
【００１２】
また、本発明によるディスクチャッキング装置の前記チャックハウジングには前記弾性プレートの両端が挿入されるように収容溝が形成されることを特徴とする。
【００１３】
また、本発明によるディスクチャッキング装置の前記弾性プレートは、前記収容部の外側に突出形成され、前記突出された部分が前記ディスクが挿入されるように斜めに折り曲げられる挿入部及び、挿入された前記ディスクが装着されるように前記挿入部から反対側に斜めに折り曲げられる装着部を含むことを特徴とする。
【００１４】
また、本発明によるディスクチャッキング装置の前記装着部はその断面が曲線形状に折曲形成されることを特徴とする。
【００１５】
また、本発明によるディスクチャッキング装置は前記弾性プレートの内側に接着される緩衝材をさらに含むことを特徴とする。
【００１６】
一方、本発明によるモーター装置は、軸孔が形成されるスリーブ；前記軸孔に挿入されるように形成されるシャフト；前記シャフトに回転可能に取付けられるローターケース；前記ローターケースの一面に取付けられ、内部に形成される収容空間と連結されるように外側が開放された収容部を備えるチャックハウジング；及び前記ローターケースに装着されるディスクが挿入される時、弾性変形されて前記ディスクの内周面を固定するように形成される弾性プレートからなるチャックチップ；を含むことができる。
【００１７】
また、本発明によるモーター装置の前記弾性プレートは一端が前記収容部の内面と上面にともに接触されるように折曲形成されることを特徴とする。
【００１８】
また、本発明によるモーター装置の前記チャックハウジングには前記弾性プレートの一端が挿入されるように収容溝が形成されることを特徴とする。
【００１９】
また、本発明によるモーター装置の前記チャックハウジングには前記弾性プレートの両端が挿入されるように収容溝が形成されることを特徴とする。
【００２０】
また、本発明によるモーター装置の前記弾性プレートは、前記収容部の外側に突出形成され、前記突出された部分が前記ディスクが挿入されるように斜めに折り曲げられる挿入部及び、挿入された前記ディスクが装着されるように前記挿入部から反対側に斜めに折り曲げられる装着部を含むことを特徴とする。
【００２１】
また、本発明によるモーター装置の前記装着部はその断面が曲線形状に折曲形成されることを特徴とする。
【００２２】
また、本発明によるモーター装置は前記弾性プレートの内側に接着される緩衝材をさらに含むことを特徴とする。
【発明の効果】
【００２３】
本発明によるディスクチャッキング装置及びモーター装置は、チャックハウジングの収容部に挿入され、前記収容部の外側に突出形成される弾性プレートを含むため、装着されるディスクが前記突出形成された部分によって装着位置に安定的に固定されることができる。
【００２４】
また、本発明は弾性プレートのみをチャックハウジングに組み立てれば良いため、スプリングとチャック部材をともに組み立てる場合のように精密に組み立てる必要がなく簡単に組み立てることができて、部品の数をより減らすことができることから、製造コストを減らすことができるという効果がある。
【図面の簡単な説明】
【００２５】
【図１】本発明の一実施例によるディスクチャッキング装置及びモーター装置を説明するための部分切開斜視図である。
【図２】本発明の一実施例によるディスクチャッキング装置及びモーター装置の断面図である。
【図３】本発明の一実施例によるディスクチャッキング装置の弾性プレートを説明するための部分的な斜視図である。
【図４】本発明の一実施例によるモーター装置でディスクが装着されることを説明するための断面図である。
【図５】本発明の一実施例によるモーター装置でディスクが装着されることを説明するための断面図である。
【図６】本発明の他の実施例によるモーター装置のディスクチャッキング装置を説明するための断面図である。
【図７】本発明のまた他の実施例によるモーター装置のディスクチャッキング装置を説明するための断面図である。
【図８】本発明のまた他の実施例によるモーター装置のディスクチャッキング装置を説明するための断面図である。
【発明を実施するための形態】
【００２６】
本発明によるディスクチャッキング装置及びモーター装置に関して、図１から図８を参照してさらに具体的に説明する。以下では図面を参照して本発明の具体的な実施例を詳細に説明する。
【００２７】
但し、本発明の思想は提示される実施例に制限されず、本発明の思想を理解する当業者は同一の思想の範囲内にて他の構成要素を追加、変更、削除することによって、退歩的な他の発明や本発明の思想の範囲内に含まれる他の実施例を容易に提案することができるが、これもまた本発明の思想の範囲内に含まれるとするべきであろう。
【００２８】
また、各実施例の図面に示される同一または類似の思想の範囲内の機能が同一の構成要素は同一または類似の参照符号を用いて説明する。
【００２９】
図１は本発明の一実施例によるディスクチャッキング装置及びモーター装置を説明するための部分切開斜視図であり、図２は本発明の一実施例によるディスクチャッキング装置及びモーター装置の断面図である。
【００３０】
図１及び図２を参照すると、モーター装置１００は、スリーブ１３０、シャフト１４０、ローターケース１５０及びディスクチャッキング装置１６０を含むことができる。
【００３１】
スリーブ１３０は図１に図示したように、ベース１１６の収容孔１１７に本体の下端部を圧入して組み立てられることができる。この際、前記スリーブ１３０はローター１２０と一定の大きさの間隔を置いて互いに対応して、これらの間に摺動面を形成する回転支持部材であることができる。
【００３２】
そして、スリーブ１３０にはシャフト１４０が結束されるための軸孔１３２が形成されることができて、前記軸孔１３２の内側面には複数個のラジアル動圧溝が形成されることもできる。
【００３３】
シャフト１４０はスリーブ１３０の軸孔１３２に挿入されてローターケース１５０とともに回転されることができて、シャフト１４０の上部面にはローターケース１５０が取付けられる。
【００３４】
この際、シャフト１４０は回転軸方向に長く形成されることができて、シャフト１４０の底面にはスラストプレート１４２が形成され、回転時に発生されるシャフト１４０との摩擦力を減らすようになる。
【００３５】
ローターケース１５０は、シャフト１４０の入口側から側面に沿って長く接触されるように形成されるハブ１５２、前記ハブ１５２と一体に形成されてディスクＤが装着されるための水平部１５４及び、前記水平部１５４から垂直に下部に向けて折り曲げられる垂直部１５６を含むことができる。
【００３６】
この際、ローターケース１５０の上部面である水平部１５４は、水平に形成されることができるためディスクＤの装着時にディスクＤが傾くことを防止することができる。そして、水平部１５４にはディスクＤの底面と接触される緩衝部１５８が形成されることができる。緩衝部１５８の材質はラバー（ｒｕｂｂｅｒ）が好ましい。
【００３７】
従って、本実施例によるモーター装置は、シャフト１４０に結合されて前記シャフト１４０とともに回転し、上部に配置されるディスクを支持するためのローターケース１５０を含むため、シャフトに組み立てられるホルダーとそのホルダーに取付けられるケースを含む構造より、その厚さを著しく減らすことができる効果がある。
【００３８】
ここで、ディスクチャッキング装置１６０はチャックハウジング１７０及び弾性プレート１８０からなるチャックチップを含むことができる。
【００３９】
チャックハウジング１７０はローターケース１５０の上部に取付けられて、弾性プレート１８０が露出されるように収容される収容空間が提供される収容部１７２を含むことができる。従って、収容部１７２には開口が形成され、弾性プレート１８０の一部が外部に露出されるように取付けられることができる。
【００４０】
また、チャックハウジング１７０の外部面には弾性プレート１８０が正確な位置に組み立てられたかを確認するための確認孔１７４が形成されることができる。
【００４１】
装着突起１７６はチャックハウジング１７０の開口された部分に形成されて、上部に突出される形状である。この際、装着突起１７６の表面は外周方向が高く、内部方向が低いように斜めに形成されることができて、チャックハウジング１７０と一体に形成されることもできる。
【００４２】
そして、チャックハウジング１７０はディスクＤが装着されるようにする突出部１７８を含むことができる。突出部１７８はチャックハウジング１７０と一体に形成されることができて、互いに１２０度の角度を成すように３個備えられることが好ましい。
【００４３】
また、突出部１７８は一定の長さだけ外側に突出されるように形成されて、ディスクＤの挿入時にチャックハウジング１７０の内側に移動可能に形成されることができる。従って、このような構造のため突出部１７８の両側が切開されて、チャックハウジング１７０と分離された形状に形成される。
【００４４】
チャックチップは弾性プレート１８０からなり、ディスクＤの内周面と接触されてディスクＤの位置を固定する役割をする。
【００４５】
弾性プレート１８０はチャックハウジング１７０の収容部１７２に挿入されて一端が固定され、一部が外側に突出されるように形成される。この際、突出された部分１８６には底面にチャックハウジング１７０の装着突起１７６が配置されるようになる。
【００４６】
この際、弾性プレート１８０は板材で製造されることができて、その形状は弾性力を有するように形成される。
【００４７】
そして、弾性プレート１８０の一端はチャックハウジング１７０の上部面と内部面に同時に接するように折り曲げられた形状に形成されるため、このような構造を有する弾性プレート１８０は、ディスクＤが装着されても揺れず、その端部の位置が固定されることができる。この際、弾性プレート１８０の端部は接着剤によって固定されることも可能である。
【００４８】
図３は本発明の一実施例によるディスクチャッキング装置の弾性プレートを説明するための部分的な斜視図である。
【００４９】
図３を参照すると、弾性プレート１８０は突出された部分１８６が、ディスクＤが挿入されるように斜めに折り曲げられる挿入部１８２及び、挿入されたディスクＤが装着されるように挿入部１８２から反対側に斜めに折り曲げられる装着部１８４を含むことができる。
【００５０】
従って、ディスクＤは挿入部１８２と接触されて下部に向けて滑るように移動されて、装着された後に装着部１８４と接触されて固定されるのである。
【００５１】
しかし、本実施例では、装着部１８４は挿入部１８２から反対側にその断面が曲線形状に形成されるが、これに限定されず、設計者の意図によってその断面が直線形状に形成されることもできる。
【００５２】
従来のディスクチャッキング装置はチャックハウジングの内部空間にチップ部材を配置し、チップ部材が弾性的に移動するようにチップ部材に密着されるように前記内部空間にスプリングを配置する。
【００５３】
このように製造されるディスクチャッキング装置は、スプリングとチップ部材のサイズが小さくて組み立てる工程が難しく、組立位置に精密に組み立てられない場合にはチップ部材がチャックハウジングの内部に入り込み、元の位置に出てこなかったり、スプリングの形状が変形されるなどの問題点が発生される可能性がある。
【００５４】
しかし、本実施例によるディスクチャッキング装置及びモーター装置は、チャックハウジング１７０の収容部１７２に挿入され、収容部１７２の外側に突出形成される弾性プレート１８０を含むため、装着されるディスクＤが前記突出形成された部分によって装着位置に安定的に固定されることができる。
【００５５】
また、本発明は弾性プレート１８０のみをチャックハウジング１７０に組み立てれば良いため、スプリングとチャック部材をともに組み立てる場合のように精密に組み立てる必要がなく簡単に組立てることができて、部品の数をより減らすことができるため、製造コストを減らすことができるという効果がある。
【００５６】
以下、図１及び図２で図示された構成を具体的に説明する。
【００５７】
ステーター１１０は電源印加時に一定の大きさの電磁気力を発生させる巻線コイル１１２を備えて、前記巻線コイル１１２が少なくとも一つのポール（ｐｏｌｅ）を中心に放射方向に巻かれる複数個の延長したコア１１４を備える固定構造物である。
【００５８】
ローター１２０は前記ステーター１１０に対して回転可能に備えられる回転構造物であり、前記コア１１４と一定の間隔を置いて互いに対応する環状のマグネット１２２を外周面に備えるカップ状のローターケース１５０を備え、前記マグネット１２２は円周方向にＮ極、Ｓ極が相互に着磁され、一定の強さの磁気力を発生させる永久磁石で備えられる。
【００５９】
ベースプレート２０はモーター１００が配置される支持体であり、ベースプレート２０上には軟性印刷回路基板３０が備えられる。前記軟性印刷回路基板３０を用いることによって、モーター１００の厚さを印刷回路基板を用いる場合より減らすことができる。
【００６０】
この際、ベースプレート２０上には多数の受動素子が取付けられることができて、特にディスクＤが回転時にデータを受信するためのデータ受信部２２が備えられることができる。
【００６１】
前記軟性印刷回路基板３０はモーター１００に電源を印加する回路パターンが形成されることができる。前記軟性印刷回路基板３０のグラウンドパターンは前記ベースプレート２０と導通されるように形成されることができる。
【００６２】
図４及び図５は本発明の一実施例によるモーター装置にディスクが取付けられることを説明するための断面図である。
【００６３】
図４及び図５を参照すると、ディスクチャッキング装置１６０より大きい中孔が形成されたディスクＤがローターケース１５０の上部に配置された後、下部に向けて移動する。
【００６４】
この際、ディスクＤがチャックハウジング１７０に取付けられた弾性プレート１８０の挿入部１８２と接触されて、下部に向けて滑るように移動し、ディスクＤと接触された弾性プレート１８０はその形状が下部に向けて移動するように変形される。
【００６５】
そして、ディスクＤがローターケース１５０の上部面に配置される後には弾性プレート１８０が元の形状に戻り、弾性プレート１８０の装着部１８４と接触される。
【００６６】
従って、本実施例によるモーター装置は、装着されるディスクＤが弾性プレート１８０によってその位置が安定的に固定されるようになる。
【００６７】
図６は本発明の他の実施例によるモーター装置のディスクチャッキング装置を説明するための断面図である。
【００６８】
図６を参照すると、ディスクチャッキング装置２６０はチャックハウジング２７０及び弾性プレート２８０を含むことができる。
【００６９】
本実施例でチャックハウジング２７０及びモーター装置の他の構成は実質的に上述の実施例と同一の構成であるため、その具体的な説明は省略する。
【００７０】
ここで、弾性プレート２８０はチャックハウジング２７０の収容部２７２に収容され、一部が外側に突出されるように形成される。
【００７１】
この際、チャックハウジング２７０の収容部２７２の内側面には弾性プレート２８０の端部が取付けられるように形成される収容溝２７４が形成される。ここで、収容溝２７４は弾性プレート２８０の端部と対応される形状に形成されることが好ましい。
【００７２】
また、弾性プレート２８０の他端部はローターケース２５０の上面に位置するように形成される。そして、ディスクＤが装着されて弾性プレート２８０によって固定される構造は上述の実施例と実質的に同一である。
【００７３】
従って、弾性プレート２８０の一端部がチャックハウジング２７０の収容溝２７４に挿入されて固定されるため、弾性プレート２８０にディスクＤによって外部の力が作用されても、より安定的にその位置で固定されることができる。
【００７４】
図７は本発明のまた他の実施例によるモーター装置のディスクチャッキング装置を説明するための断面図である。
【００７５】
図７を参照すると、ディスクチャッキング装置３６０はチャックハウジング３７０及び弾性プレート３８０を含むことができる。
【００７６】
本実施例でチャックハウジング３７０及びモーター装置の他の構成は実質的に上述の実施例と同一の構成であるため、その具体的な説明は省略する。
【００７７】
ここで、弾性プレート３８０はチャックハウジング３７０の収容部３７２に収容され、一部が外側に突出されるように形成される。
【００７８】
この際、チャックハウジング３７０の収容部３７２の内側面には、弾性プレート３８０の一端部が取付けられるように形成される第１収容溝３７４と弾性プレート３８０の他端部が取付けられるように形成される第２収容溝３７６が形成されることができる。
【００７９】
ここで、第１収容溝３７４と第２収容溝３７６の位置は、弾性プレート３８０の形状によって多様に設定されることができて、第２収容溝３７６の場合にはローターケース３５０上に形成されることも可能である。
【００８０】
従って、弾性プレート３８０の両端部がチャックハウジング３７０の第１及び第２収容溝３７４、３７６に挿入されて固定されるため、弾性プレート３８０にディスクＤからの外部の力が作用されても、より安定的にその位置で固定されることができる。
【００８１】
図８は本発明のまた他の実施例によるモーター装置のディスクチャッキング装置を説明するための断面図である。
【００８２】
図８を参照すると、ディスクチャッキング装置４６０はチャックハウジング４７０及び弾性プレート４８０を含むことができる。
【００８３】
本実施例でチャックハウジング４７０及びモーター装置の他の構成は実質的に上述の実施例と同一の構成であるため、その具体的な説明は省略する。
【００８４】
ここで、弾性プレート４８０はチャックハウジング４７０の内部空間に収容されて、一部が開口を通じて外側に突出されるように形成される。
【００８５】
この際、弾性プレート４８０の内部には内側面と対応されるように形成される緩衝材４８２が接着されることができる。本実施例では上述の実施例のように、端部がチャックハウジングに形成される溝に挿入されて固定されると表現されたが、これに限定されず、弾性プレート４８０が前記内部空間に収容されるように形成されることもできる。
【００８６】
従って、本実施例は緩衝材４８２が弾性プレート４８０の形状を維持するように働きかけるため、外部でローターケース４５０に向けるようにディスクＤを押す強い力が発生されても、弾性プレート４８０が大きく変形されず、これによってディスクチャッキング装置の構造を安定的に維持することができるのである。
【符号の説明】
【００８７】
２０  ベースプレート
３０  軟性印刷回路基板
１００  モーター装置
１１０  ステーター
１２０  ローター
１３０  スリーブ
１４０  シャフト
１５０、２５０、３５０、４５０  ローターケース
１６０、２６０、３６０、４６０  ディスクチャッキング装置
１７０、２７０、３７０、４７０  チャックハウジング
１８０、２８０、３８０、４８０  弾性プレート
１７２  収容部
１７４  確認孔
１７６  装着突起
１７８  突出部
１８２  挿入部
１８４  装着部
１８６  突出された部分
２７４  収容溝
Ｄ  ディスク
４８２  緩衝材
【図１】
2011238332.tif 000003
【図２】
2011238332.tif 000004
【図３】
2011238332.tif 000005
【図４】
2011238332.tif 000006
【図５】
2011238332.tif 000007
【図６】
2011238332.tif 000008
【図７】
2011238332.tif 000009
【図８】
2011238332.tif 000010